(57)【特許請求の範囲】
【請求項１】
コイルが巻回された鉄心を有する電磁石ブロックと、前記電磁石ブロックの励磁および消磁により吸引、離反されて回動する接極子ブロックと、前記接極子ブロックに係合されて前記接極子ブロックの回動に応じて直線往復移動すると共に、復帰ばねに係合されて一方向に付勢されるカードと、前記カードの直線往復移動によって切換え操作される複数の接点機構と、を備える電磁リレーであって、
前記カードは、互いに独立して形成され、前記電磁石ブロックの励磁および消磁により前記接点機構の一方の接点を閉成および開成する第１カードと、他方の接点を開成および閉成する第２カードとを有し、
前記接極子ブロックは、前記第１カードと係合する第１突部と、前記第２カードと係合する第２突部と、を有する電磁リレー。
【請求項２】
請求項１に記載の電磁リレーであって、
前記接極子ブロックは、前記第１突部と前記第２突部との間に配設され、前記電磁リレーのオーバートラベル量を測定する測定装置の測定子が当接する測定突起部と、
を備える電磁リレー。
【請求項３】
請求項２に記載の電磁リレーであって、
前記測定突起部は、前記測定装置の測定子との当接面が、曲面に形成される電磁リレー。
【請求項４】
請求項１乃至３のいずれか1項に記載の電磁リレーであって、
前記第１および第２カードと、前記接極子ブロック、前記復帰ばね、および前記接点機構との接触位置は、それぞれ前記第１および第２カードの直線移動方向に沿う一直線上に配置される電磁リレー。
【発明の詳細な説明】
【技術分野】
【０００１】
本発明は、電磁リレーに関する。
【背景技術】
【０００２】
電磁リレーは、開閉状態が相互に反対の接点、すなわちノーマリーオープン（ＮＯ）接点（ａ接点）と、ノーマリークローズ（ＮＣ）接点（ｂ接点）とを、共通の電磁石、接極子ブロックおよびカードで駆動するものである。そして、一方の接点が溶着すると、カードが動かず、したがって他方の接点が開閉しなくなり、一方の接点の溶着を他方の接点で検知できるようになっている。したがって、このような電磁リレーは、安全性が高く、工作機械などを制御する制御装置では、複数段組み合わせて用いられることが多い（例えば、特許文献１参照）。
【０００３】
図７は、特許文献１に開示されている電磁リレー（接点構成）の構造を示す平面図である。電磁リレー１００においては、電磁石１０２による接極子ブロック１０３の揺動変位が、接極子ブロック１０３に係合するカード１０４によってスライド変位（図中左右方向）に変換される。このように揺動変位をスライド変位に変換することで、カード１０４に係合している可動接点１０６，１０７が固定接点１０８，１０９と接触または離反することで接点状態の切換えがなされる。具体的には、可動接点１０６，固定接点１０８側がＮＯ接点、可動接点１０７，固定接点１０９側がＮＣ接点である。そして、電磁石１０２の非励磁状態では、カード１０４が復帰ばね１１０の弾性力によって、図７に示すように左側方向に後退した位置にあり、可動接点１０７，固定接点１０９が閉成（ＯＮ）し、可動接点１０６，固定接点１０８が開成（ＯＦＦ）している。電磁石１０２が励磁されると、復帰ばね１１０の弾性力に抗して、カード１０４が図中右方向に移動し、可動接点１０７，固定接点１０９が開成すると共に、可動接点１０６，固定接点１０８が閉成して、接点の切換えが行われる。
【先行技術文献】
【特許文献】
【０００４】
【特許文献１】特開２０１０‐１９８８６３号公報
【発明の概要】
【発明が解決しようとする課題】
【０００５】
このような電磁リレー１００では、非励磁時におけるカード１０４に対して、ＮＣ接点である可動接点１０７，固定接点１０９側では、可動接点１０７と固定接点１０９との弾性力が共に作用している。これに対して、ＮＯ接点である可動接点１０６，固定接点１０８側では、可動接点１０６の弾性力のみが作用している。このカード１０４に作用する力のアンバランスにより、カード１０４の係合孔１０４ａに係合している接極子ブロック１０３の舌片１０３ａを中心として、カード１０４を矢印Ｒ方向に回転させる力が発生する。これによって、カード１０４は図中実線で示す位置から破線で示す位置に回転変位して、可動接点１０６のオーバートラベル量が減少し、安定した接点動作を行えなくなる可能性があった。一方、電磁リレー１００の励磁時には、矢印Ｒ方向と反対方向の力がカード１０４に作用する。また、カード１０４の回転を抑えるため、舌片１０３ａに対して係合孔１０４ａを小さ目に形成すると、カード１０４のガタは少なくなるが、接触部分での摩擦が増大して摩擦粉が発生する虞があった。
【０００６】
また、従来、オーバートラベル量の測定は、図８に示すように、測定装置の測定子１２０をカード１０４の端面に当接させて行っている。しかし、この測定方法によると、測定子１２０の測定力は、カード１０４を介して舌片１０３ａ（接極子ブロック１０３）に伝達される。そして、電磁リレー１００が実際に作動したときの伝達経路、即ち、舌片１０３ａ（接極子ブロック１０３）を介してカード１０４に伝達される力の伝達経路と異なった状態で測定することになる。このため、測定値には、カード１０４と舌片１０３ａとのガタなどの不確定要因が含まれ、正確なオーバートラベル量の測定が困難であった。
【０００７】
本発明は、前記実情に鑑みてなされたもので、カードの回転を防止して安定した接点動作を実現すると共に、オーバートラベル量を正確に測定することができる電磁リレーを提供することを目的とする。
【課題を解決するための手段】
【０００８】
本発明は、コイルが巻回された鉄心を有する電磁石ブロックと、前記電磁石ブロックの励磁および消磁により吸引、離反されて回動する接極子ブロックと、前記接極子ブロックに係合されて前記接極子ブロックの回動に応じて直線往復移動すると共に、復帰ばねに係合されて一方向に付勢されるカードと、前記カードの直線往復移動によって切換え操作される複数の接点機構と、を備える電磁リレーであって、
前記カードは、互いに独立して形成され、前記電磁石ブロックの励磁および消磁により前記接点機構の一方の接点を閉成および開成する第１カードと、他方の接点を開成および閉成する第２カードとを有し、前記接極子ブロックは、前記第１カードと係合する第１突部と、前記第２カードと係合する第２突部と、を有する。
【０００９】
また、本発明は、上記の電磁リレーにおいて、
前記接極子ブロックは、前記第１突部と前記第２突部との間に配設され、前記電磁リレーのオーバートラベル量を測定する測定装置の測定子が当接する測定突起部と、を備えるものを含む。 
【００１０】
更に、本発明は、上記の電磁リレーにおいて、
前記測定突起部は、前記測定装置の測定子との当接面が、曲面に形成されるものを含む。
【００１１】
また、本発明は、上記の電磁リレーにおいて、
前記第１および第２カードと、前記接極子ブロック、前記復帰ばね、および前記接点機構との接触位置は、それぞれ前記第１および第２カードの直線移動方向に沿う一直線上に配置されている。
【発明の効果】
【００１２】
本発明によれば、第１カードと第２カードとが互いに独立して形成されている。このため、第１カードおよび第２カードに作用する回転力の発生を防止して、安定した接点動作を行うことが可能な電磁リレーを提供することができる。
【図面の簡単な説明】
【００１３】
【図１】本発明の実施の一形態に係る電磁リレーの外観を示す斜視図
【図２】図１に示す電磁リレーの分解斜視図
【図３】（ａ）は図１に示す電磁リレーの側面図、（ｂ）は（ａ）の要部説明図
【図４】図１に示す電磁リレーのカードと接極子ブロックとの接触部を拡大して示す断面図
【図５】図１に示す電磁リレーのオーバートラベル量を測定装置により測定する状態を示す要部拡大図
【図６】測定装置の測定子が当接する他の接極子ブロックの形状を示す要部拡大図
【図７】従来の電磁リレーの平面図
【図８】従来の電磁リレーのオーバートラベル量を測定する状態を示す要部拡大図
【発明を実施するための形態】
【００１４】
以下、本発明の実施の形態に係る電磁リレーについて、図面を参照しつつ詳細に説明する。
図１は本発明の実施の一形態に係る電磁リレーの外観を示す斜視図、図２は分解斜視図である。図１および図２に示すように、本実施の形態の電磁リレー１は、ノーマリーオープン（ＮＯ）接点（ａ接点）２と、ノーマリークローズ（ＮＣ）接点（ｂ接点）３と、を１つずつ備えた最少限の接点構成からなる。
【００１５】
電磁リレー１は、ボディ４と、電磁石ブロック５と、接極子ブロック６と、復帰ばね７と、カード８と、カバー９と、接点機構であるＮＯ接点２およびＮＣ接点（ｂ接点）３とを備えて構成される。なお、以下の説明において、ＮＯ，ＮＣ接点２，３の配列方向を左右方向、電磁リレー１側を前側、反対側を後側として説明する。
【００１６】
ボディ４は、絶縁性および難燃性を有するＰＢＴ（ポリブチレンテレフタレート）等で形成された成形品である。そしてこのボディ４は、一端に電磁石ブロック５を搭載する長手状のベース４１と、一対の側壁４２，４３と、連結部材４４と、絶縁隔壁４５と、絶縁隔壁４６と、端子台４７と、を備える。そして、一対の側壁４２，４３は、ベース４１の略中央部に立設される。連結部材４４は、側壁４２，４３の電磁石ブロック５側を連結して補強する。絶縁隔壁４５は、側壁４２，４３の接点２，３側を連結する。絶縁隔壁４６は、絶縁隔壁４５の中央部から延設され、接点２，３を区画する。端子台４７は、ベース４１の他端側で接点２，３を保持する。そして、側壁４２，４３および絶縁隔壁４５で区画された領域内に、接極子ブロック６および復帰ばね７が収容され、端子台４７に各接点２，３の端子２１，２２，３１，３２が植設され、カード８が絶縁隔壁４５上をスライド変位する。
【００１７】
図３（ａ）は電磁リレーの側面図であり、電磁石ブロック５は、コイル５１と、コイル５１が巻回されたスプール５２と、略Ｌ字形のヨーク５４，５５を有する鉄心５３と、コイル５１の各端部が接続される一対のコイル端子５６と、を備える。
【００１８】
接極子ブロック６は、プラスチックの射出成形により形成されたサブカード６１と、軟鉄などの矩形平板から成り、サブカード６１に接着される可動板６２と、可動板６２に固定される永久磁石６３と、を備えている。サブカード６１の左右両側面に延設された一対のピン６４は、ベース４１の側壁４２，４３に形成された孔４８に嵌合する。これにより、接極子ブロック６は、可動板６２の上部がヨーク５４と対向すると共に、下部がヨーク５５と対向して、回動自在にベース４１に保持される。
【００１９】
図３（ａ）及び（ｂ）に示すように、一対のピン６４を中心とする接極子ブロック６の回動範囲は、ピン６４の中心を通る垂線に対して対称となっている。図３（ｂ）は図３（ａ）の、接極子ブロック６の回動範囲とサブカード６１の移動範囲とを示す要部説明図である。接極子ブロック６は回転運動をし、サブカード６１は水平移動をする。従って図３（ｂ）に実線で示すように、接極子ブロック６を垂線Ｎに対して対称となるように配置し角度αずつ回動させた場合、サブカード６１の移動距離Ｌ１は図に示す通りである。これに対し、図３（ｂ）に破線で示すように、接極子ブロック６を垂線Ｎに対して非対称となるように配置し、角度αずつ回動させた場合、サブカード６１の移動距離Ｌ２は、Ｌ１に比べて大きくなっていることがわかる。これにより、接極子ブロック６が回動したとき、後述するサブカード６１の第１および第２突部６５、６６と、第１および第２カード８１、８２の係合孔８３、８４との上下方向相対移動が少なくなり、摩擦や摩耗が抑制される。
【００２０】
サブカード６１の上端部には、その左右両端部から第１突部６５、および第２突部６６が立設され、更に、第１および第２突部６５、６６の間には、測定突起部６７が立設されている。第１突部６５は、後述する第１カード８１の係合孔８３に係合して第１カード８１を矢印ＡＢ方向に直線移動（スライド変位）させる。また、第２突部６６は、後述する第２カード８２の係合孔８４に係合して第２カード８２を矢印ＡＢ方向に直線移動させる。なお、第１カード８１と第２カード８２とは、独立して形成されている。
【００２１】
第１突部６５および第２突部６６は、図４に示すように、第１および第２カード８１、８２の係合孔８３、８４と当接する接触部の形状が、側面視で円形となる形状すなわち、円筒状に形成されている。これにより、接極子ブロック６が回動したとき、第１突部６５および第２突部６６は、係合孔８３、８４の側面と直線で接触する。このため、係合孔８３、８４との接触面積が小さくなり、第１および第２カード８１、８２を滑らかに水平移動させることができる。なお、接触部の形状は、必ずしも円筒状でなくてもよい。曲面を形成するようにすることで、あたりが滑らかとなり、より正確な計測が可能となる。
【００２２】
また、図１に示すように、サブカード６１に第１および第２カード８１、８２が組み付けられたとき、測定突起部６７は、第１および第２カード８１、８２の間に露出している。従って、電磁リレー１のオーバートラベル量を測定する測定装置の測定子１２０を、測定突起部６７に直接当接させて測定することが可能である（図５参照）。
【００２３】
復帰ばね７は、弾性を有する金属薄板を略Ｙ字形に打抜き加工することにより形成される。復帰ばね７は、下端部７１がベース４１に圧入固定され、二又状に形成された一対の腕部７３，７４の先端部が、それぞれ第１カード８１の復帰ばね孔８５、及び第２カード８２の復帰ばね孔８６に挿入されている。これにより、第１および第２カード８１、８２は、復帰ばね７の弾性力によって矢印Ｂ方向に付勢される。
【００２４】
ＮＯ接点２は、固定接点端子２１と可動接点端子２２とが対となって構成され、ＮＣ接点３は、固定接点端子３１と可動接点端子３２とが対となって構成される。即ち、固定接点端子２１と可動接点端子２２、及び固定接点端子３１と可動接点端子３２は、接点機構を構成する。
【００２５】
これらの各端子２１，２２および３１，３２は、弾性を有する金属薄板を打抜き加工、および曲げ加工することで、側面視において略クランク状に形成されている。各端子２１，２２および３１，３２は、根元部２１ａ，２２ａおよび３１ａ，３２ａがベース４１の後側両側面に形成された取付け溝４９に圧入・接着され、互いに平行に対向して植設されている。また、弾性を有する上腕部２１ｂ，２２ｂおよび３１ｂ，３２ｂの先端付近には、接点部材２１ｃ，２２ｃおよび３１ｃ，３２ｃがそれぞれかしめ固定されている。
【００２６】
ＮＯ接点２では、可動接点端子２２が前方（電磁石ブロック５側）に、固定接点端子２１が後方に配置されている。また、ＮＣ接点３では、ＮＯ接点２とは逆に、可動接点端子３２が後方に、固定接点端子３１が前方に配置されている。
【００２７】
絶縁隔壁４６で左右に区画されて接点２，３を収納する空間には、端子２１、２２の間、および端子３１、３２の間に、絶縁隔壁４０がベース４１から立設されている。絶縁隔壁４０は、接点部材２１ｃ，２２ｃおよび３１ｃ，３２ｃの開放作用を補助するとともに、接点部材２１ｃ，２２ｃおよび３１ｃ，３２ｃの溶着時に、０．５ｍｍ以上の接点ギャップを確保する。また、復帰ばね７が折れた際の短絡を防止する機能を有する。
【００２８】
カード８は、互いに独立して形成された第１カード８１および第２カード８２からなる。第１カード８１には、電磁石ブロック５側から順に（前側から後側に向かって）、係合孔８３、復帰ばね孔８５、および係止孔８７が形成されている。係合孔８３にはサブカード６１の第１突部６５が係合される。また、復帰ばね孔８５には、復帰ばね７の腕部７３の先端部が挿入される。そして、係止孔８７にはＮＯ接点２の可動接点端子２２の上腕部２２ｂ先端が係止される。係合孔８３、復帰ばね孔８５、および係止孔８７は、第１カード８１の移動方向（矢印ＡＢ方向）に沿う一直線上に配置されている。
【００２９】
また、第２カード８２には、電磁石ブロック５側から順に、係合孔８４、復帰ばね孔８６、および係止孔８８が形成されている。ここで係合孔８４にはサブカード６１の第２突部６６が係合される。復帰ばね孔８６には、復帰ばね７の腕部７４の先端部が挿入される。そして、係止孔８８にはＮＣ接点３の可動接点端子３２の上腕部３２ｂ先端が係止される。係合孔８４、復帰ばね孔８６、および係止孔８８は、第２カード８２の移動方向（矢印ＡＢ方向）に沿う一直線上に配置されている。
【００３０】
組み付けが完了した電磁リレー１において、係合孔８３、８４および復帰ばね孔８５、８６は、第１および第２カード８１、８２の移動方向と直交する一線上に配置されている。また、可動接点端子２２の先端が係止する係止孔８７は、可動接点端子３２の先端が係止する係止孔８８より前方に配置されている。
【００３１】
これにより、第１カード８１は、サブカード６１の第１突部６５、復帰ばね７の腕部７３の先端部、および可動接点端子２２の上腕部２２ｂの先端に搭載されて支持される。また、第２カード８２は、サブカード６１の第２突部６６、復帰ばね７の腕部７４の先端部、および可動接点端子３２の上腕部３２ｂの先端に搭載されて支持される。
【００３２】
そして、第１および第２カード８１、８２は、コイル５１の非通電時には、復帰ばね７の弾性力によって、電磁石ブロック５側（矢印Ｂ方向）に変位しており、コイル５１への通電時に、接極子ブロック６を介して駆動されて矢印Ａ方向に変位する。
【００３３】
カバー９は、接点部材２１ｃ，２２ｃおよび３１ｃ，３２ｃの開閉状態を確認可能なように、透明なポリカーボネートなどの樹脂成形品から成り、底面が開放された箱状に形成されている。カバー９は、図１に示すように、各部品が組み付けられたボディ４に上方から被せられ、下端の内周面がベース４１に接着されて固定される。
【００３４】
本実施の形態の電磁リレー１の作用を説明する。本実施の形態の電磁リレー１は、コイル５１の非通電状態では、第１および第２カード８１、８２が、復帰ばね７の弾性力により矢印Ｂ方向、即ち、電磁石ブロック５側に変位しており、接極子ブロック６は、図３において反時計方向に回動した状態となっている。
【００３５】
これにより、第１および第２カード８１、８２に先端が係合する可動接点端子２２，３２も矢印Ｂ方向に湾曲変形させられる。そして、可動接点端子３２の接点部材３２ｃが固定接点端子３１の接点部材３１ｃと接触してＮＣ接点３が導通し、可動接点端子２２の接点部材２２ｃが固定接点端子２１の接点部材２１ｃから離間してＮＯ接点２が遮断している。
【００３６】
この非通電状態では、第１カード８１には可動接点端子２２の弾性力が作用しているのに対して、第２カード８２には固定接点端子３１と可動接点端子３２の両端子の弾性力が作用している。即ち、第２カード８２には、第１カード８１より大きな弾性力が作用している。
【００３７】
コイル５１に通電された通電状態では、復帰ばね７の弾性力に抗して接極子ブロック６が時計方向に回動し、第１および第２カード８１、８２が矢印Ａ方向に直線移動する。これにより、第１および第２カード８１、８２に先端が係合する可動接点端子２２，３２も矢印Ａ方向に湾曲変形して、それまで接触していた可動接点端子３２および固定接点端子３１の接点部材３２ｃ、３１ｃが離間してＮＣ接点３が遮断する。そして、それまで離間していた可動接点端子２２および固定接点端子２１の接点部材２２ｃ、２１ｃが接触してＮＯ接点２が導通する。
【００３８】
コイル５１の通電状態では、第１カード８１には固定接点端子２１と可動接点端子２２との両端の弾性力が作用しているのに対して、第２カード８２には可動接点端子３２の弾性力が作用している。即ち、第１カード８１には、第２カード８２より大きな弾性力が作用する。即ち、第１および第２カード８１、８２に作用する端子の弾性力の大きさは、非通電時と逆になる。
【００３９】
このように、第１および第２カード８１、８２に作用する端子２１，２２および３１，３２の弾性力の大きさは、非通電時には第１カード８１の方が小さく、通電時には第２カード８２の方が小さくなる。このようにして、弾性力の大きさは、コイル５１への非通電および通電に応じて交互に変化する。
【００４０】
しかし、第１および第２カード８１、８２は、互いに独立して形成されているので、第１および第２カード８１、８２に大きさの異なる力が作用しても、第１および第２カード８１、８２を回転させる力は発生しない。更に、係合孔８３、８４、復帰ばね孔８５、８６、および係止孔８７、８８は、それぞれ第１および第２カード８１、８２の移動方向に沿う一直線上に配置されている。従って、第１および第２カード８１、８２に作用する力は、この直線上で作用して、第１および第２カード８１、８２が滑らかに直線移動して、安定した接点動作が行われる。仮に、第１および第２カードの３つの孔が、一直線上にない、換言すれば、横方向にずれていると、第１および第２カードに回転モーメントが作用することになる。このため、カード回転防止効果がなくなる。正確には、孔と、孔に嵌合する部材である、接極子ブロック、復帰ばね、接点機構との接触位置が一直線上にあるのが望ましい。
【００４１】
また、図５に示すように、電磁リレー１のオーバートラベル量の測定は、測定装置の測定子１２０を、第１および第２カード８１、８２の間に露出している測定突起部６７（図１参照）に直接当接させることで測定される。これにより、測定子１２０の測定力は、測定突起部６７を介して第１および第２カード８１、８２に伝達される。この力の伝達経路は、電磁リレー１が実際に作動したときの伝達経路と一致しており、正確なオーバートラベル量を測定することができる。
【００４２】
上記したように、本実施の形態の電磁リレー１は、コイル５１が巻回された鉄心５３を有する電磁石ブロック５と、接極子ブロック６と、一対のカード８１、８２と、複数の接点機構２、３と、を備える。接極子ブロック６は、電磁石ブロック５の励磁および消磁により吸引、離反されて回動する。また、一対のカード８１、８２は、接極子ブロック６に係合されて接極子ブロック６の回動に応じて直線往復移動すると共に、復帰ばね７に係合されて一方向（矢印Ｂ）に付勢される。複数の接点機構２、３は、カード８１、８２の直線往復移動によって切換え操作される。一対のカード８１、８２は、互いに独立して形成されており、第１カード８１は電磁石ブロック５の励磁および消磁によりＮＯ接点２を閉成および開成し、第２カード８２はＮＣ接点３を開成および閉成する。第１および第２カード８１、８２と、接極子ブロック６（第１および第２突部６５、６６）、復帰ばね７、および接点２、３との接触位置は、それぞれ第１および第２カード８１、８２の直線移動方向に沿う一直線上に配置される。
【００４３】
図６は他の接極子ブロックの測定突起部の形状を示す要部拡大図であり、図６（ａ）に示す測定突起部６７ａは、側面視において略円形に形成されている。また、図６（ｂ）に示す測定突起部６７ｂは、測定子１２０との接触面が円弧状に形成され、図６（ｃ）に示す測定突起部６７ｃは、角部に大きなアール面取りが施された略５角形に形成されている。
【００４４】
このように測定装置の測定子１２０と当接する各測定突起部６７ａ、６７ｂ、６７ｃの当接面を曲面で形成することにより、測定子１２０の接触面（平面）との接触面積を低減することができる。従って、摩擦を更に低減させ、正確なオーバートラベル量を測定することができる。
【００４５】
本発明の実施の形態に係る電磁リレー１によれば、第１カード８１と第２カード８２とが互いに独立して形成されている。そして、更に、第１および第２カード８１、８２と、接極子ブロック６、復帰ばね７、および接点２、３との接触位置が、それぞれ第１および第２カード８１、８２の直線移動方向（矢印ＡＢ方向）に沿う一直線上に配置されている。このため、第１カード８１および第２カード８２に作用する回転力の発生が防止されて、安定した接点動作を行うことができる。
【００４６】
以上説明してきたように、本発明によれば、第１カードと第２カードとが互いに独立して形成されていることで、第１および第２カードに作用する回転力の発生を防止することができる。更に、第１および第２カードと、接極子ブロック、復帰ばね、および接点機構との接触位置が、それぞれ第１および第２カードの直線移動方向に沿う一直線上に配置されていることで、第１カードおよび第２カードにかかる力が同一直線上で作用する。従って、第１カードおよび第２カードの作動が安定する。このようにして、第１カードおよび第２カードの回転を防止することができ、安定した接点動作を行うことが可能となる。
【００４７】
また、本発明は、上記の電磁リレーにおいて、接極子ブロックが、第１カードと係合する第１突部と、第２カードと係合する第２突部と、第１突部と第２突部との間に配設されてオーバートラベル量を測定する測定装置の測定子を当接させる測定突起部と、を備える。従って、電磁リレーの実際の動きと一致した状態でオーバートラベル量を測定することができる。これにより、オーバートラベル量を正確に測定することが可能となる。
【００４８】
更に、本発明は、測定突起部は、測定装置の測定子との当接面が曲面に形成されるので、測定子と滑らかに当接し、より正確にオーバートラベル量を測定することが可能となる。
【００４９】
尚、本発明は、前述した実施の形態に限定されるものではなく、適宜、変形、改良、等が可能である。例えば、上記の説明では、それぞれ１つのａ接点およびｂ接点を有する２接点の電磁リレーについて説明したが、２接点の電磁リレーに限定されることはなく、２接点以上の接点を有する電磁リレーでも同様に適用可能である。特に、可動接点および固定接点の組が電磁リレーの中心線に対して左右両側に配設され、一方の側と他方の側との間で、同じ接点状態の接点機構の組数が異なる電磁リレーにおいては、効果的に作用する。
【符号の説明】
【００５０】
１      電磁リレー
２      ＮＯ接点（接点機構）
３      ＮＣ接点（接点機構）
５      電磁石ブロック
６      接極子ブロック
７      復帰ばね
８      カード
５１    コイル
５３    鉄心
６５    第１突部
６６    第２突部
６７、６７ａ、６７ｂ、６７ｃ    測定突起部
８１    第１カード
８２    第２カード
１２０  測定装置の測定子
【図１】
0005899461.tif 000002
【図２】
0005899461.tif 000003
【図３】
0005899461.tif 000004
【図４】
0005899461.tif 000005
【図５】
0005899461.tif 000006
【図６】
0005899461.tif 000007
【図７】
0005899461.tif 000008
【図８】
0005899461.tif 000009